(57)【要約】【課題】発光部付きレンズ装置のユーザに対する利便性と省電力化とを両立する。【解決手段】レンズ装置２は、撮像装置１に対して取り外し可能に装着され、該撮像装置との通信が可能である。該レンズ装置は、被写体を照明するための照明光を発する発光部２０７ａ，２０７ｂと、ユーザにより操作される操作部２０９と、該操作部の操作に応じて発光部の状態を制御する発光制御部２０１と、発光部の状態を記憶する記憶部２１０とを有する。発光制御部は、撮像装置から、第１の電力モードから該第１の電力モードよりも消費電力が少ない第２の電力モードへの移行命令を受信することに応じて発光部の状態を記憶部に記憶する。発光制御部は、撮像装置から、第２の電力モードから第１の電力モードへの復帰命令を受信することに応じて、発光部を記憶部に記憶された状態に基づいて制御する。【選択図】図１
2018045047.tif 000002
【特許請求の範囲】
【請求項１】
撮像装置に対して取り外し可能に装着され、該撮像装置との通信が可能なレンズ装置であって、
被写体を照明するための照明光を発する発光部と、
ユーザにより操作される操作部と、
前記操作部の操作に応じて、前記発光部の状態を制御する発光制御部と、
前記発光部の状態を記憶する記憶部とを有し、
前記発光制御部は、
前記撮像装置から、第１の電力モードから該第１の電力モードよりも消費電力が少ない第２の電力モードへの移行命令を受信することに応じて前記発光部の状態を前記記憶部に記憶し、
前記撮像装置から、前記第２の電力モードから前記第１の電力モードへの復帰命令を受信することに応じて、前記発光部を前記記憶部に記憶された前記状態に基づいて制御することを特徴とするレンズ装置。
【請求項２】
複数の前記発光部を有し、
前記発光制御部は、
前記撮像装置から前記移行命令を受信することに応じて前記複数の発光部のそれぞれの状態を前記記憶部に記憶させ、
前記撮像装置から前記復帰命令を受信することに応じて前記複数の発光部のそれぞれを前記記憶部に記憶された前記状態に基づいて制御することを特徴とする請求項１に記載のレンズ装置。
【請求項３】
前記発光制御部は、前記記憶部に記憶された前記発光部の状態が点灯である場合に、前記復帰命令を受信することに応じて前記発光部を点灯するように制御することを特徴とする請求項１または２に記載のレンズ装置。
【請求項４】
前記発光制御部は、
前記記憶部に記憶された前記発光部の状態が第１の発光量での点灯である場合に、前記復帰命令を受信することに応じて前記発光部を前記第１の発光量で点灯するように制御し、
前記記憶部に記憶された前記発光部の状態が前記第１の発光量より少ない第２の発光量での点灯である場合に、前記復帰命令を受信することに応じて前記発光部を前記第２の発光量で点灯するように制御ことを特徴とする請求項１から３のいずれか一項に記載のレンズ装置。
【請求項５】
前記発光制御部は、前記記憶部に記憶された前記発光部の状態が消灯である場合に、前記復帰命令を受信することに応じて前記発光部を点灯させることを特徴とする請求項１から４のいずれか一項に記載のレンズ装置。
【請求項６】
前記発光制御部は、前記記憶部に前記発光部の状態が記憶されていない場合に、前記復帰命令を受信することに応じて前記発光部を点灯させるように制御することを特徴とする請求項１から５のいずれか一項に記載のレンズ装置。
【請求項７】
撮像装置に対して取り外し可能に装着され、該撮像装置との通信が可能なレンズ装置であり、被写体を照明するための照明光を発する発光部と、ユーザにより操作される操作部と、前記発光部の状態を記憶するための記憶部とを有するレンズ装置のコンピュータを動作させるコンピュータプログラムであって、
前記コンピュータに、
前記撮像装置から、第１の電力モードから該第１の電力モードよりも消費電力が少ない第２の電力モードへの移行命令を受信することに応じて前記発光部の状態を前記記憶部に記憶させ、
前記撮像装置から、前記第２の電力モードから前記第１の電力モードへの復帰命令を受信することに応じて、前記発光部を前記記憶部に記憶された前記状態に基づいて制御させることを特徴とするレンズ制御プログラム。
【発明の詳細な説明】
【技術分野】
【０００１】
本発明は、撮像装置に取り外し可能に装着されるレンズ装置（交換レンズ）に関し、特に被写体を照明する発光部を備えた交換レンズに関する。
【背景技術】
【０００２】
近距離に位置する被写体を撮影する際に、その被写体を照明する照明光を発する発光部が先端部に設けられた交換レンズが用いられる場合がある。特許文献１および特許文献２には、先端部に環状に配置された複数の光源を発光させて被写体を照明可能な交換レンズが開示されている。特許文献１に開示された交換レンズでは、ユーザによるスイッチの操作によって複数の光源を点灯（オン）および消灯（オフ）させることができる。また、特許文献２に開示された交換レンズでは、測光量で決まるシャッタ速度が所定速度よりも遅い場合に自動的に光源を点灯させる。
【先行技術文献】
【特許文献】
【０００３】
【特許文献１】特開２００６−３３７４２２号公報
【特許文献２】特開２００７−４７１９２号公報
【発明の概要】
【発明が解決しようとする課題】
【０００４】
しかしながら、特許文献１および２に開示された交換レンズでは、ユーザがスイッチのオフ操作を行わない場合や意図しない場合に光源が点灯し続け、ユーザにとって利便性が低く、また電力を無駄に消費する。
【０００５】
本発明は、ユーザにとって利便性が高く、省電力化も可能な発光部付きレンズ装置を提供する。
【課題を解決するための手段】
【０００６】
本発明の一側面としてのレンズ装置は、撮像装置に対して取り外し可能に装着され、該撮像装置との通信が可能である。該レンズ装置は、被写体を照明するための照明光を発する発光部と、ユーザにより操作される操作部と、該操作部の操作に応じて発光部の状態を制御する発光制御部と、発光部の状態を記憶する記憶部とを有する。発光制御部は、撮像装置から、第１の電力モードから該第１の電力モードよりも消費電力が少ない第２の電力モードへの移行命令を受信することに応じて発光部の状態を記憶部に記憶する。そして、発光制御部は、撮像装置から、第２の電力モードから第１の電力モードへの復帰命令を受信することに応じて、発光部を記憶部に記憶された状態に基づいて制御することを特徴とする。
【０００７】
また、本発明の他の一側面としてのレンズ制御プログラムは、撮像装置に対して取り外し可能に装着され、該撮像装置との通信が可能なレンズ装置であって被写体を照明するための照明光を発する発光部と、ユーザにより操作される操作部と、発光部の状態を記憶するための記憶部とを有するレンズ装置のコンピュータを動作させる。レンズ制御プログラムは、該コンピュータに、撮像装置から、第１の電力モードから該第１の電力モードよりも消費電力が少ない第２の電力モードへの移行命令を受信することに応じて発光部の状態を前記記憶部に記憶させ、撮像装置から、第２の電力モードから第１の電力モードへの復帰命令を受信することに応じて、発光部を記憶部に記憶された状態に基づいて制御させることを特徴とする。
【発明の効果】
【０００８】
本発明では、第１の電力モードから第２の電力モード（省電力モード）への移行前における発光部の状態を記憶し、第２の電力モードから第１の電力モードへの復帰時に発光部の状態を上記記憶した状態に設定する。このため、本発明によれば、ユーザにとって利便性が高く、省電力化も可能な発光部付きレンズ装置を実現することができる。
【図面の簡単な説明】
【０００９】
【図１】本発明の実施例である交換レンズを含む撮像システムの構成を示すブロック図。
【図２】上記交換レンズの正面図。
【図３】上記交換レンズにおける２つのＬＥＤ制御モードを示す図。
【図４】上記交換レンズにおける電力制御処理を示すフローチャート。
【図５】上記交換レンズにおける照明制御処理を示すフローチャート。
【発明を実施するための形態】
【００１０】
以下、本発明の実施例について図面を参照しながら説明する。
【００１１】
図１には、本発明の実施例であるレンズ装置としての交換レンズ２と、該交換レンズ２が取り外し可能に装着された撮像装置としてのカメラ本体１により構成される撮像システムの構成を示す。
【００１２】
カメラ本体１は、カメラＣＰＵ１０１、制御系電源１０２、駆動系電源１０３、電源スイッチ１０４、カメラ通信部１０５、レンズ装着検出部１０６、焦点検出ユニット１０７、および測光ユニット１０８を含む。カメラＣＰＵ１０１は、その内部にメモリや制御回路を有し、カメラ本体１の動作全体を制御する。
【００１３】
制御系電源１０２は、例えばロードロップアウトレギュレータで構成されており、焦点件出ユニット１０７や測光ユニット１０８等、後述する駆動系回路に比べて電力消費量が少なく、安定した出力電圧が求められる制御系回路に対して電力を供給する。駆動系電源１０３は、例えばＤＣ／ＤＣコンバータで構成されており、不図示のシャッタ駆動部等、制御系回路より電力消費量が多い駆動系回路に対して電力を供給する。
【００１４】
電源スイッチ１０４はユーザによるオン操作とオフ操作によってカメラ本体１の電源状態を変更する。電源スイッチ１０４がオン操作されると、制御系電源１０２および駆動系電源１０３に電源が供給（オン）されるとともに、交換レンズ２にも電源が供給される。電源スイッチ１０４がオフ操作されると、制御系回路の一部を除いた部分と駆動系回路の全ておよび交換レンズ２への電源供給が停止（オフ）される。
【００１５】
カメラ通信部１０５および交換レンズ２に設けられたレンズ通信部２０６は、それらの間に通信チャネルを形成するための通信端子を有する。カメラＣＰＵ１０１は、通信チャネルを介して後述するフォーカス制御命令および絞り制御命令等をレンズＣＰＵ２０１に送信し、レンズＣＰＵ２０１から交換レンズ側で記憶されている後述するレンズ情報を受信する。
【００１６】
レンズ装着検出部１０６は、交換レンズ２がカメラ本体１に装着されたことを検出し、その情報をカメラＣＰＵ１０１に伝える。焦点検出ユニット１０７は、交換レンズ２に含まれる撮影光学系Ｌからの光束を用いて該撮影光学系Ｌのデフォーカス量を算出する。測光ユニット１０８は被写体の輝度を測定する。カメラＣＰＵ１０１は、算出されたデフォーカス量に基づいて撮影光学系Ｌに含まれるフォーカスレンズ２０２の駆動量を算出し、これをフォーカス制御命令としてレンズＣＰＵ２０１に送信する。また、カメラＣＰＵ１０１は、測定された被写体輝度に基づいて撮影光学系Ｌに含まれる絞り２０４の絞り値を算出し、これを絞り制御命令としてレンズＣＰＵ２０１に送信する。
【００１７】
交換レンズ２は、上記レンズＣＰＵ２０１、フォーカスレンズ２０２、フォーカス駆動回路２０３、絞り２０４、絞り駆動回路２０５と上記レンズ通信部２０６を含む。交換レンズ２は、さらに被写体を照明するための照明光を発する複数（２つ）の発光部としてのＬＥＤ素子２０７ａ，２０７ｂ、照明制御手段としてのＬＥＤ制御回路２０８および操作部としてのＬＥＤスイッチ２０９を有する。
【００１８】
レンズＣＰＵ２０１は、その内部に記憶部としてのＲＡＭ（RANDOM ACCESS MEMORY）２１０や不図示の制御回路を有し、交換レンズ２の動作全体を制御する。フォーカス駆動回路２０３は、カメラＣＰＵ１０１からのフォーカス制御命令を受けたレンズＣＰＵ２０１からのフォーカス駆動指令に応じてフォーカスレンズ２０２を駆動する。こりにより、ＡＦ（オートフォーカス）が行われる。絞り駆動回路２０５は、カメラＣＰＵ１０１から絞り制御命令を受けたレンズＣＰＵ２０１からの絞り駆動指令に応じて絞り２０４を駆動する。これにより、光量調節が行われる。ＬＥＤ制御回路２０８は、ユーザによるＬＥＤスイッチ２０９の操作を検出したレンズＣＰＵ２０１からの制御命令に応じてＬＥＤ素子２０７ａ，２０７ｂの点灯、消灯および発光量を制御する。
【００１９】
図２は、正面（被写体側）から見た交換レンズ２を示す。図１に示したＬＥＤ素子２０７ａ，２０７ｂは、図２の正面視において、それぞれ円弧形状を有し、撮影光学系Ｌを挟んで対向する位置に配置されている。なお、本実施例のＬＥＤ素子２０７ａ，２０７ｂの数、形状および配置は例に過ぎず、他の発光部の数、形状および配置を採用してもよい。
【００２０】
図３には、交換レンズ２における２つのＬＥＤ制御モードを示している。レンズＣＰＵ２０１は、ＬＥＤ制御回路２０８を通じてこれら２つのＬＥＤ制御モードでＬＥＤ素子２０７ａ，２０７ｂの点灯、消灯および発光量を制御する。ＬＥＤ制御モードには、両ＬＥＤ制御モード３０１と片ＬＥＤ制御モード３０２とがある。両ＬＥＤ制御モード３０１は、２つのＬＥＤ素子２０７ａ，２０７ｂの点灯、消灯および発光量を同時に制御するモードである。一方、片ＬＥＤ制御モード３０２は、２つのＬＥＤ素子２０７ａ，２０７ｂの点灯、消灯および発光量を片方ずつ制御するモードである。両ＬＥＤ点灯モード３０１には、両ＬＥＤ消灯状態３０３、両ＬＥＤ強点灯状態３０４および両ＬＥＤ弱点灯状態３０５がある。片ＬＥＤ点灯モード３０２には、ＬＥＤａ強点灯状態３０６、ＬＥＤａ弱点灯状態３０７、ＬＥＤｂ強点灯状態３０８、ＬＥＤｂ弱点灯状態３０９および両ＬＥＤ消灯状態３１０がある。
【００２１】
カメラ本体１の電源がオンされて交換レンズ２への電源供給が開始される（レンズ電源がオンになる）と、ＬＥＤ制御モードは両ＬＥＤ点灯モード３０１になる。そして、ＬＥＤ素子２０７ａ，２０７ｂの制御状態（以下、ＬＥＤ制御状態という）は、両ＬＥＤ点灯モード３０１における両ＬＥＤ消灯状態３０３になる。両ＬＥＤ消灯状態３０３では、２つのＬＥＤ素子２０７ａ，２０７ｂがともに消灯する。
【００２２】
両ＬＥＤ消灯状態３０３においてユーザがＬＥＤスイッチ２０９を短押しすると、ＬＥＤ制御状態は両ＬＥＤ強点灯状態３０４になる。両ＬＥＤ強点灯状態３０４では、２つのＬＥＤ素子２０７ａ，２０７ｂがともに大きな発光量（第１の発光量）で発光する。両ＬＥＤ強点灯状態３０４においてユーザがＬＥＤスイッチ２０９を短押しすると、ＬＥＤ制御状態は両ＬＥＤ弱点灯状態３０５になる。両ＬＥＤ強点灯状態３０４では、２つのＬＥＤ素子２０７ａ，２０７ｂがともに第１の発光量より小さい発光量（第２の発光量）で発光する。両ＬＥＤ弱点灯状態３０５においてユーザがＬＥＤスイッチ２０９を短押しすると、ＬＥＤ制御状態は両ＬＥＤ消灯状態３０３に戻る。
【００２３】
このように両ＬＥＤ点灯モード３０１では、ＬＥＤ制御状態がレンズ電源オン時の両ＬＥＤ消灯状態３０３からのＬＥＤスイッチ２０９の短押しに応じて循環的に両ＬＥＤ強点灯状態３０４、両ＬＥＤ弱点灯状態３０５および両ＬＥＤ消灯状態３０３に切り替わる。各ＬＥＤ素子の発光量はこれに流す電流によって決まり、例えばオペアンプＩＣや電界効果トランジスタにより構成される定電流回路に対して印加する電圧をＰＷＭ制御やＤ／Ａコンバータによって変更することによって制御できる。両ＬＥＤ点灯モード３０１におけるいずれかのＬＥＤ制御状態においてユーザがＬＥＤスイッチ２０９を長押しすることで、ＬＥＤ制御モードは片ＬＥＤ片点灯モード３０２に移行する。
【００２４】
片ＬＥＤ点灯モード３０２に移行すると、ＬＥＤ制御状態はまずＬＥＤａ強点灯状態３０６になる。ＬＥＤａ強点灯状態３０６では、ＬＥＤ素子２０７ａが大きな発光量（第１の発光強度）で発光し、ＬＥＤ素子２０７ｂが消灯する。ＬＥＤａ強点灯状態３０６においてユーザがＬＥＤスイッチ２０９を短押しすると、ＬＥＤ制御状態はＬＥＤａ弱点灯状態３０７になる。ＬＥＤａ強点灯状態３０６では、ＬＥＤ素子２０７ａが小さな発光量（第２の発光強度）で発光し、ＬＥＤ素子２０７ｂが消灯する。ＬＥＤａ弱点灯状態３０７においてユーザがＬＥＤスイッチ２０９を短押しすると、ＬＥＤ制御状態はＬＥＤｂ強点灯状態３０８になる。ＬＥＤｂ強点灯状態３０８では、ＬＥＤ素子２０７ｂが大きな発光量（第１の発光強度）で発光し、ＬＥＤ素子２０７ａが消灯する。
【００２５】
ＬＥＤｂ強点灯状態３０８においてユーザがＬＥＤスイッチ２０９を短押しすると、ＬＥＤ制御状態はＬＥＤｂ弱点灯状態３０９になる。ＬＥＤｂ弱点灯状態３０９では、ＬＥＤ素子２０７ｂが小さな発光量（第２の発光強度）で発光し、ＬＥＤ素子２０７ａが消灯する。ＬＥＤｂ弱点灯状態３０９においてユーザがＬＥＤスイッチ２０９を短押しすると、ＬＥＤ制御状態は両ＬＥＤ消灯状態３１０になる。両ＬＥＤ消灯状態３１０では、２つのＬＥＤ素子２０７ａ，２０７ｂがともに消灯する。両ＬＥＤ消灯状態３１０においてユーザがＬＥＤスイッチ２０９を短押しすると、ＬＥＤ制御状態はＬＥＤａ強点灯状態３０６に戻る。
【００２６】
このように片ＬＥＤ点灯モード３０２では、ＬＥＤ制御状態は片ＬＥＤ点灯モード３０２への移行時にはＬＥＤａ強点灯状態３０６になる。そして、ＬＥＤａ強点灯状態３０６からのＬＥＤスイッチ２０９の短押しに応じて循環的にＬＥＤａ弱点灯状態３０７、ＬＥＤｂ強点灯状態３０８、ＬＥＤｂ弱点灯状態３０９、両ＬＥＤ消灯状態３１０およびＬＥＤａ強点灯状態３０６に切り替わる。片ＬＥＤ点灯モード３０２におけるいずれかのＬＥＤ制御状態においてユーザがＬＥＤスイッチ２０９を長押しすることで、ＬＥＤ制御モードは両ＬＥＤ点灯モード３０１に移行し、ＬＥＤ制御状態は両ＬＥＤ強点灯状態３０４になる。
【００２７】
以上説明したように、本実施例では、ユーザによるＬＥＤスイッチ２０９の長押し操作によりＬＥＤ制御モードを切り替えることができ、ＬＥＤスイッチ２０９の短押し操作により各ＬＥＤ制御モードでのＬＥＤ制御状態を変更することができる。
【００２８】
次に、図４のフローチャートを用いて、発光制御部としてのレンズＣＰＵ２０１が行う電力制御処理について説明する。コンピュータとしてのレンズＣＰＵ２０１は、コンピュータプログラムであるレンズ制御プログラムに従ってこの処理を実行する。
【００２９】
ステップＳ４０１では、レンズＣＰＵ２０１は、カメラＣＰＵ１０１から省電力モードへの移行命令を受信したか否かを判定する。レンズＣＰＵ２０１は、省電力モードへの移行命令を受信した場合はステップＳ４０２に進み、受信していなければ本判定を繰り返す。
【００３０】
ステップＳ４０２では、レンズＣＰＵ２０１は、カメラＣＰＵ１０１から省電力モードへの移行命令とともに受信するカメラ本体１の電源（以下、カメラ電源という）の状態がオン状態か否かを判定する。カメラ電源の状態は、カメラ本体１に設けられた電源スイッチ１０４のオン／オフ状態ということもできる。レンズＣＰＵ２０１は、カメラ電源がオン状態である場合はステップＳ４０３に進み、カメラ電源がオフ状態である場合はステップＳ４０４に進む。
【００３１】
ステップＳ４０３での処理は、カメラ電源のオン状態にてレンズＣＰＵ２０１に対して省電力モードへの移行が命令されている場合、すなわちユーザが意図せずに交換レンズ２が省電力モードに移行する場合に行われる。具体的には、カメラ本体１および交換レンズ２に対してユーザが所定時間（例えば１０秒）以上何も操作をしなかった場合は、カメラＣＰＵ１０１が電力消費を抑えるために交換レンズ２を省電力モードに移行させる場合である。ステップＳ４０３では、レンズＣＰＵ２０１は、現在のカメラ電源のオン状態でのＬＥＤ制御状態（図３に示したＬＥＤ制御状態３０３〜３１０のいずれか）を示す情報をＲＡＭ２１０に記憶する。そして、ステップＳ４０５に進む。
【００３２】
なお、本実施例では、省電力モードへの移行命令を受信した後にＲＡＭ２１０にＬＥＤ制御状態を記憶させる場合について説明するが、ＬＥＤ制御状態が変化するごとにその状態を記憶させてもよい。
【００３３】
一方、ステップＳ４０４では、レンズＣＰＵ２０１は、ＲＡＭ２１０にＬＥＤ制御状態の情報が記憶されている場合は該情報を削除する。そして、ステップＳ４０５に進む。
【００３４】
ステップＳ４０５では、レンズＣＰＵ２０１は、交換レンズ２の電力モードを省電力モード（第２の電力モード）に移行させる。なお、カメラ電源がオフのときにも交換レンズは省電力モードに移行する。省電力モードでは、レンズＣＰＵ２０１は、前述したフォーカス駆動回路２０３や絞り駆動回路２０５への通電を遮断するとともに、ＬＥＤ素子２０７ａ，２０７ｂを消灯させる。また、レンズＣＰＵ２０１はスリープモードとなって、交換レンズ２の電力モードが省電力モードに移行する前のレンズＣＰＵ２０１のアクティブモード（第１の電力モード）と比較して該レンズＣＰＵ２０１での消費電力を低減させる。
【００３５】
次にステップＳ４０６では、レンズＣＰＵ２０１は、カメラＣＰＵ１０１からアクティブモードへの復帰命令を受信したか否かを判定する。ユーザがカメラ本体１への何らかの操作をすることで、カメラＣＰＵ１０１からレンズＣＰＵ２０１にアクティブモードへの復帰命令が送信される。カメラレンズＣＰＵ２０１は、復帰命令を受信した場合はステップ４０７に進み、スリープモードからアクティブモードに復帰して、本処理を終了する。また、レンズＣＰＵ２０１は、復帰命令を受信しない場合にはステップＳ４０６の判定を繰り返す。なお、ユーザが交換レンズ２に対して行った何らかの操作を検出したレンズＣＰＵ２０１がカメラＣＰＵ１０１にアクティブモードへの復帰命令の送信をリクエストしてもよい。
【００３６】
次に、図５のフローチャートを用いて、ＬＥＤスイッチ２０９が操作されたときにレンズＣＰＵ２０１が行うＬＥＤ素子２０７ａ，２０７ｂの制御（発光制御処理）について説明する。レンズＣＰＵ２０１は、上記レンズ制御プログラムに従ってこの処理を実行する。
【００３７】
ステップＳ５０１では、レンズＣＰＵ２０１は、ＬＥＤスイッチ２０９が操作されたか否かを判定する。レンズＣＰＵ２０１は、ＬＥＤスイッチ２０９が操作された場合はステップＳ５０２に進み、操作されていない場合はステップＳ５０１の判定を繰り返す。
【００３８】
ステップ５０２では、レンズＣＰＵ２０１は、ＬＥＤスイッチ２０９の操作が、その継続時間が所定時間（例えば１秒）より短い短押しか該所定時間以上の長押しかを判定する。レンズＣＰＵ２０１は、短押しである場合はステップＳ５０３に進み、長押しの場合はステップＳ５０４に進む。
【００３９】
ステップ５０３では、レンズＣＰＵ２０１は、前回の省電力モードへの移行時にＲＡＭ２１０に記憶されたＬＥＤ制御状態を読み出す。レンズＣＰＵ２０１は、ＲＡＭ２１０にＬＥＤ制御状態が記憶されていない場合や記憶されたＬＥＤ制御状態が両ＬＥＤ消灯状態３０３もしくは両ＬＥＤ強点灯状態３０４である場合はステップＳ５０５に進む。ステップＳ５０５では、今回のＬＥＤ制御状態を両ＬＥＤ強点灯状態３０４に設定する。また、レンズＣＰＵ２０１は、ＲＡＭ２１０に記憶されたＬＥＤ制御状態が両ＬＥＤ弱点灯状態３０５である場合はステップＳ５０６に進み、今回のＬＥＤ制御状態を両ＬＥＤ弱点灯状態３０５に設定する。また、レンズＣＰＵ２０１は、ＲＡＭ２１０に記憶されたＬＥＤ制御状態がＬＥＤａ強点灯状態３０６または両ＬＥＤ両側消灯状態３１０である場合はステップＳ５０７に進み、今回のＬＥＤ制御状態をＬＥＤａ強点灯状態３０６に設定する。
【００４０】
さらに、レンズＣＰＵ２０１は、ＲＡＭ２１０に記憶されたＬＥＤ制御状態がＬＥＤａ弱点灯状態３０７である場合はステップＳ５０８に進み、今回のＬＥＤ制御状態をＬＥＤａ弱点灯状態３０７に設定する。また、レンズＣＰＵ２０１は、ＲＡＭ２１０に記憶されたＬＥＤ制御状態がＬＥＤｂ強点灯状態３０８である場合はステップＳ５０９に進み、今回のＬＥＤ制御状態をＬＥＤｂ強点灯状態３０８に設定する。また、レンズＣＰＵ２０１は、ＲＡＭ２１０に記憶されたＬＥＤ制御状態がＬＥＤｂ弱点灯状態３０９である場合はステップＳ５１０に進み、今回のＬＥＤ制御状態をＬＥＤｂ弱点灯状態３０９に設定する。
【００４１】
ＬＥＤスイッチ２０９の操作が長押しであった場合に進んだステップＳ５０４において、レンズＣＰＵ２０１は、ステップＳ５０３と同様に、前回の省電力モードへの移行時にＲＡＭ２１０に記憶されたＬＥＤ制御状態を読み出す。レンズＣＰＵ２０１は、ＲＡＭ２１０にＬＥＤ制御状態が記憶されていない場合または記憶されたＬＥＤ制御状態が片ＬＥＤ制御モード３０２に属する状態（３０６〜３１０）である場合はステップＳ５１１に進む。そして、ステップＳ５１１で今回のＬＥＤ制御状態を両ＬＥＤ点灯状態３０４に設定する。また、レンズＣＰＵ２０１は、ＲＡＭ２１０に記憶されたＬＥＤ制御状態が両ＬＥＤ制御モード３０１に属する状態（３０３〜３０５）である場合はステップＳ５１２に進み、今回のＬＥＤ制御状態を片ＬＥＤ点灯状態３０６に設定する。
【００４２】
このように、本実施例では、ユーザが意図せずに交換レンズ２が省電力モードに移行した後のＬＥＤスイッチ２０９の操作に応じて、省電力モードに移行する直前のＬＥＤ制御状態（ＬＥＤ素子２０７ａ，２０７ｂの点灯または消灯）を再現することができる。特に、省電力モードに移行する直前のＬＥＤ制御状態でＬＥＤ素子２０７ａ，２０７ｂのうち少なくとも一方が点灯していた場合にそのＬＥＤ制御状態を再現することで、ユーザは迅速に省電力モードに移行する直前までと同じように被写体を照明して撮像を行える。このため、本実施例によれば、ユーザにとって利便性が高く、省電力化も可能な発光部付き交換レンズを実現することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４３】
以上説明した各実施例は代表的な例にすぎず、本発明の実施に際しては、各実施例に対して種々の変形や変更が可能である。
【符号の説明】
【００４４】
１  カメラ本体
２  交換レンズ
２０１  レンズＣＰＵ
２０７ａ，２０７ｂ  ＬＥＤ素子
２１０  ＲＡＭ
【図１】
2018045047.tif 000003
【図２】
2018045047.tif 000004
【図３】
2018045047.tif 000005
【図４】
2018045047.tif 000006
【図５】
2018045047.tif 000007